(57)【要約】【課題】例えば石油もしくは石油系化合物などの油で汚染された土壌を洗浄する洗浄方法および洗浄装置に係り、洗浄後の中和処理などの後処理が不要で、油で汚染された土壌を容易・迅速に洗浄できるようにする。【解決手段】油で汚染された土壌を掘削機等で掘削して保管場所Ａに一時的に堆積して保管した後、上記土壌を洗浄機１により洗浄する油汚染土壌の洗浄方法および洗浄装置において、上記保管場所Ａに堆積した油汚染土壌Ｓの表面に水Ｗを散布する散水手段を設けて上記油汚染土壌Ｓが少なくとも掘削時の湿潤状態を維持したままで洗浄機１に供給されるようにしたものである。上記のように構成することによって、上記土壌Ｓ中の水分が蒸発して油中の親水性成分が揮発するのが防止され、水や弱アルカリ等の洗浄液でも容易・迅速に洗浄することが可能となる。【選択図】        図１
2004174337.tif 000002
【特許請求の範囲】
【請求項１】
油で汚染された土壌を掘削して所定期間堆積して保管したのち洗浄処理する油汚染土壌の洗浄方法において、上記堆積保管中の土壌の表面に水を散布して該土壌が少なくとも掘削時の湿潤状態を維持したままで上記洗浄機に供給されるようにしたことを特徴とする油汚染土壌の洗浄方法。
【請求項２】
油で汚染された土壌を掘削機等で掘削して保管場所に一時的に堆積して保管した後、上記土壌を洗浄機により洗浄する油汚染土壌の洗浄装置において、上記保管場所に堆積した土壌の表面に、該土壌が少なくとも上記掘削時の湿潤状態を維持するように水を自動散布する自動散水器を備えたことを特徴とする油汚染土壌の洗浄装置。
【発明の詳細な説明】
【０００１】
【発明の属する技術分野】
本発明は、例えば石油もしくは石油系化合物などの油で汚染された土壌を洗浄する洗浄方法および洗浄装置に関する。
【０００２】
【従来の技術】
従来、例えば石油もしくは石油系化合物などの油類を扱う事業所や工場は多数存在し、それらの事業所や工場では、漏洩や不用意な廃棄などによって土壌が油で汚染されている場合が少なくない。このような汚染に対して現在、国による法規制の整備が進められると共に、地方自治体レベルでも独自の規制や浄化指導を行う場合が増加してきている。
【０００３】
このような状況の下で、油で汚染された土壌の修復方法の確立が求められており、その修復方法の１つとして、油により汚染された土壌を浄化するために、汚染地域の土壌を掘削し、水もしくは、それに弱アルカリ等の薬液や担持物質等を添加した洗浄液による洗浄処理を行うことが提案されている（例えば、下記特許文献１参照）。
【０００４】
【特許文献１】
特開平１１−２５３９２３号公報
【０００５】
【発明が解決しようとする課題】
ところが、上記のような水もしくは弱アルカリ等を添加した洗浄液により土壌の洗浄処理を行う場合、油で汚染した土壌を掘削機等で掘削して所定の保管場所に一時的に堆積したのち洗浄機により洗浄するのが一般的であり、その際、堆積した土壌中の水分が減少すると、洗浄機で洗浄する際に土壌と洗浄液が充分に混合されず、洗浄効率が著しく低下する場合がある。
【０００６】
例えば、堆積した土壌をそのまま長時間放置すると、土壌中の水分が次第に蒸発して減少する。一方、油は多くの成分の混合物であるが、水分が蒸発すると水分中に溶解している油中の親水性成分が揮発する。その結果、土壌中には疎水性成分が主となった油が残留する。その疎水性成分が主となった油は、水との混和性が殆どないため、水やそれに弱アルカリ等を添加した洗浄液で洗浄処理を行う場合、洗浄液と汚染土壌の混合効率が悪くなり、洗浄効率が著しく低下する。
【０００７】
また水分が少なくなった土壌では、土壌粒子表面への油の固着性が次第に高まってくるので、その後の洗浄処理を行うまでに汚染土壌が難洗浄性へと変化してしまう場合がある。そのような難洗浄性土壌や乾燥した土壌に対し、高い洗浄効果を得るには、強アルカリや溶剤もしくは界面活性剤などを使った洗浄処理が必要になるが、その場合、洗浄後の中和処理などの後処理が必要となり、処理時間や処理コストが増大する等の不具合がある。
【０００８】
本発明は上記の問題点に鑑みて提案されたもので、洗浄後の中和処理などの後処理が不要で、油で汚染された土壌を容易・迅速に洗浄することのできる油汚染土壌の洗浄方法および洗浄装置を提供することを目的とする。
【０００９】
【課題を解決するための手段】
上記の目的を達成するために本発明による油汚染土壌の洗浄方法および洗浄装置は、以下の構成としたものである。
【００１０】
すなわち、油で汚染された土壌を掘削機等で掘削して保管場所に一時的に堆積して保管した後、上記土壌を洗浄機により洗浄する油汚染土壌の洗浄方法および洗浄装置において、上記保管場所に堆積した土壌の表面に水を散布する散水手段を設けて上記の土壌が少なくとも掘削時の湿潤状態を維持したままで洗浄機に供給されるようにしたものである。
【００１１】
上記のように構成することによって、土壌中の水分が蒸発して油中の親水性成分が揮発するのが防止され、水や弱アルカリ等の使用後中和処理等が不要な洗浄液を用いても容易・迅速に洗浄することが可能となる。
【００１２】
【発明の実施の形態】
以下、本発明を図に示す実施形態に基づいて具体的に説明する。図１は本発明による油汚染土壌の洗浄装置の一実施形態を示す概略構成の説明図である。
【００１３】
図において、１は洗浄機本体、２はその洗浄機本体２に汚染土壌を定量供給する定量フィーダで、その定量フィーダ２に投入された汚染土壌はベルトコンベヤ３を介して洗浄機本体１内に順次定量供給される。その洗浄機本体１内に供給された汚染土壌は、図に省略した洗浄液供給手段等から本体１内に供給された洗浄液とともに、洗浄機本体内に設けたドラム攪拌機（不図示）によって撹拌混合された後、汚染土壌中の汚染物質と土壌とが分離され、洗浄後の清浄土壌Ｓ１は排出コンベア４から貯留部Ｂに順次排出される構成である。
【００１４】
上記洗浄機本体１の近傍には、洗浄すべき汚染土壌を一時的に保管する保管場所Ａが設けられ、その保管場所Ａには油で汚染された土壌Ｓがパイル状に堆積した状態で野積みされる。そして、その保管場所Ａ内もしくはその近傍に散水手段を備えたもので、本実施形態においてはスプリンクラー等の自動散水器５が設けられ、適時所定量の水Ｗを自動的に万遍なく散布するように構成されている。図中、６は上記保管場所Ａに堆積させた汚染土壌Ｓを前記定量フィーダに供給するパワーショベル等の可動型重機である。
【００１５】
上記の構成において、例えば工場跡地などの油等で汚染された土壌を洗浄処理するに当たっては、まず汚染が確認されたサイト（地域）の土壌をパワーショベル等の重機を用いて掘削し、上記の保管場所Ａに堆積するもので、その保管場所Ａは前記のように通常は洗浄機本体１の近傍に設けられ、その保管場所Ａに汚染土壌が野積みされた状態で堆積させる。また通常は最低でも上記洗浄機本体１の１日分の処理量となる汚染土壌が堆積されたところで洗浄処理を開始するもので、その際、上記汚染土壌が野積みされた状態で長時間放置されると、前記のように油中の親水性成分が揮発して減少し、洗浄液として水やそれに弱アルカリ等を添加しただけでは充分に洗浄できないおそれがある。
【００１６】
そこで、本発明においては上記保管場所Ａに堆積した汚染土壌の表面に散水手段により水を散布するようにしたもので、本実施形態においてはスプリンクラー等の自動散水器５により適時所定量の水Ｗを自動的に万遍なく散布することができる。その結果、上記保管場所Ａに堆積した汚染土壌が良好に湿潤状態に保たれて、油中の親水性成分が揮発して減少するのが防止され、水や弱アルカリ等の洗浄液でも容易に洗浄処理することができるものである。
【００１７】
なお上記実施形態は、スプリンクラー等よりなる自動散水器５を用いたが、上記保管場所Ａ内もしくはその近傍に給水用の水道の蛇口等を設置し、それにホース等を接続して人力で散水するようにしてもよい。
【００１８】
【実施例】
〔実施例１〕
潤滑油等で汚染された工業跡地の油汚染土壌（汚染濃度５．０重量％）を掘削して上記保管場所Ａに運搬し、該保管場所Ａに上記洗浄機本体１による約３日分の処理量に相当する汚染土壌をパイル状に盛り上げた状態に野積みした。そして、洗浄処理を行うまでの一週間の間に、スプリンクラーよりなる自動散水器５を用いて、日照時間に限って土壌パイル表面に単位面積および単位時間当たり５００ｍｌ／（ｍ２  ・ｈｏｕｒ）の割合で万遍なく水を散布した。その後、上記汚染土壌を定量フィーダ２およびベルトコンベヤ３を介して洗浄機本体１内に順次供給すると共に、その汚染土壌の固体濃度が８０％になるように水のみからなる洗浄液を添加し、洗浄機本体１内に内蔵したドラム撹拌機により１２ｒｐｍの回転速度で１０分間撹拌させた。撹拌後、油水分離工程および分級工程を経て汚染土壌中の油分と礫等を除去し、得られた土壌中の残留油分を四塩炭抽出−赤外線吸光光度法で分析したところ、土壌中の残留油分は０．４重量％にまで減少しており油除去率は９２％であった。
〔比較例１〕
上記実施例１に記載の油汚染土壌（汚染濃度５．０重量％）を掘削後保管することなく直ちに洗浄機本体１内に供給した以外は、上記実施例１と同様の要領で洗浄および分級処理を行ったところ、洗浄後の土壌中の残留油分は０．３重量％にまで減少しており油除去率は９４％であった。
〔比較例２〕
上記実施例１に記載の油汚染土壌（汚染濃度５．０重量％）を掘削後保管場所Ａに、上記実施例１と同様の要領で野積みし、水を撒布することなく、そのまま一週間放置した後、上記実施例１と同様の要領で洗浄および分級処理を行ったところ、洗浄後の土壌中の残留油分は４．１重量％であり、汚染濃度は殆ど減少していないことが分かった。
【００１９】
【発明の効果】
以上のように本発明による油汚染土壌の洗浄方法および洗浄装置は、その汚染土壌を掘削して洗浄機で洗浄するまでの間に所定の保管場所に一時的に堆積して保管する際に、その堆積した土壌の表面に水を散布して該土壌が少なくとも掘削時の湿潤状態を維持したままで洗浄機に供給されるようにしたから、油中の親水性成分が揮発して減少するのが防止され、水や弱アルカリ等の洗浄液でも容易にかつ効率よく洗浄することができる。その結果、前記のように強アルカリや溶剤もしくは界面活性剤などを使って洗浄した場合のように、洗浄後の中和処理などの後処理が不要となり、処理時間や処理コストを低減できる等の効果がある。
【図面の簡単な説明】
【図１】本発明による油汚染土壌の洗浄装置の一実施形態を示す説明図。
【符号の説明】
１  洗浄機本体
２  定量フィーダ
３  ベルトコンベヤ
４  排出コンベア
５  自動散水器
６  可動型重機
Ｓ  土壌
Ｓａ  汚染土壌
Ｗ  水
【図１】
2004174337.tif 000003